(57)【要約】【課題】リサイクル等のために部材の結合を外したいときに、簡単にロックが外れるようにしたスライドロック構造を提供する。【解決手段】受側部材に結合するコネクタ１０の下壁面１０ａに一対の断面Ｌ字形のスライドレール２１Ａ、２１Ｂを設け、スライドレールの横壁２３ｂの係合よりコネクタの離反を阻止した状態で、コネクタをスライドさせることにより、ロック部２２を係合させるスライドロック構造において、対をなすスライドレールの長さ方向の互いに反対側の一部に、横壁２３ｂを切欠いて断面Ｌ字形から断面Ｉ字形にすることにより横剛性を低下させた脆弱部Ｓを設け、コネクタに一定以上の捩りを加えた際に、脆弱部が横力を受けて撓むことにより、ロック部の係合が外れるか、残る横壁同士の係合が外れるようにした。【選択図】図１
2007188820.tif 000002
【特許請求の範囲】
【請求項１】
互いに結合すべき２つ部材の対向外壁面に互いに係合する各一対のスライドレールが設けられ、前記両部材のうちの一方の部材の一対のスライドレールは、前記外面壁に垂直な縦壁の上端に外向きに前記外面壁に平行な横壁を設けた断面Ｌ字形をなし、他方の部材の一対のスライドレールは、前記外面壁に垂直な縦壁の上端に内向きに前記外面壁に平行な横壁を設けた断面Ｌ字形をなし、前記両部材のスライドレールの横壁同士の係合より該両部材の離反を阻止した状態で、該両部材を前記スライドレールの案内に従って相対的にスライドさせることにより、両部材の外壁面に形成されたロック部同士を係合させるスライドロック構造において、
前記両部材のうちの一方の部材の対をなすスライドレールの長さ方向の互いに反対側の一部に、前記横壁を切欠いて断面Ｌ字形から断面Ｉ字形にすることにより横剛性を低下させた脆弱部を設け、前記両部材に前記外壁面に垂直な軸回りの相対的な一定以上の捩りを加えた際に、前記脆弱部が横力を受けて撓むことにより、ロック部同士の係合が外れるか、残る横壁同士の係合が外れるようにしたことを特徴とするスライドロック構造。
【請求項２】
互いに結合すべき２つ部材の対向外壁面に互いに係合する各一対のスライドレールが設けられ、前記両部材のうちの一方の部材の一対のスライドレールは、前記外面壁に垂直な縦壁の上端に外向きに前記外面壁に平行な横壁を設けた断面Ｌ字形をなし、他方の部材の一対のスライドレールは、前記外面壁に垂直な縦壁の上端に内向きに前記外面壁に平行な横壁を設けた断面Ｌ字形をなし、前記両部材のスライドレールの横壁同士の係合より該両部材の離反を阻止した状態で、該両部材を前記スライドレールの案内に従って相対的にスライドさせることにより、両部材の外壁面に形成されたロック部同士を係合させるスライドロック構造において、
前記両部材のうちの一方の部材の対をなすスライドレールの長さ方向の互いに反対側の一部に、前記横壁及び前記縦壁の下側を切欠いて横剛性を低下させた脆弱部を設け、前記両部材に前記外壁面に垂直な軸回りの相対的な一定以上の捩りを加えた際に、前記脆弱部が横力を受けて撓むことにより、ロック部同士の係合が外れるか、残る横壁同士の係合が外れるようにしたことを特徴とするスライドロック構造。
【請求項３】
請求項１又は２に記載のスライドロック構造であって、
前記脆弱部を設けたスライドレールは、外側に横壁を向けた相手側のスライドレールに対し、外側から係合する、内側に横壁を向けたスライドレールであることを特徴とするスライドロック構造。
【発明の詳細な説明】
【技術分野】
【０００１】
本発明は、例えばコネクタを受側の部材に結合するためのスライドロック構造に関するものである。
【背景技術】
【０００２】
スライドロック構造は、例えば、コネクタを相手側の部材に結合する場合などの結合手段として広く用いられている（例えば、特許文献１参照）。
【０００３】
図１２〜図１４は、一般的なスライドロック構造の従来例の説明図であり、図１２はコネクタの下面側の斜視図、図１３は受側部材の上面側の斜視図、図１４は受側部材にコネクタを結合した状態を示す斜視図である。
【０００４】
コネクタ１１０の下壁面１１０ａと受側部材３０の上面３０ａ（対向外壁面）には、互いに係合するスライド係合部１２０、４０が設けられている。コネクタ１１０と受側部材３０のスライド係合部１２０、４０は、それぞれ一対のスライドレール１２１Ａ、１２１Ｂ、４１Ａ、４１Ｂと、ロック部１２２、４２とから構成されている。
【０００５】
コネクタ１１０のスライドレール１２１Ａ、１２１Ｂと受側部材３０のスライドレール４１Ａ、４１Ｂは互いに係合できるようになっており、受側部材３０の一対のスライドレール４１Ａ、４１Ｂは、受側部材３０の上面３０ａに垂直な縦壁４３ａの上端に外向きに前記上面３０ａに平行な横壁４３ｂを設けた断面Ｌ字形をなし、コネクタ１１０の一対のスライドレール１２１Ａ、１２１Ｂは、下壁面１０ａに垂直な縦壁２３ａの上端に内向きに前記下壁面１０ａに平行な横壁２３ｂを設けた断面Ｌ字形をなしている。なお、両スライドレール１２１Ａ、１２１Ｂの長さ方向の一端部には、コネクタ１１０を受側部材３０に結合する方向のスライド限を規定するスライドストッパ２３ｃが設けられている。
【０００６】
また、ロック部１２２、４２は、例えば、ロック部１２２、４２自体やロック部１２２、４２を設けている壁板が弾性変形することにより、互いに乗り越えた状態で逆戻りしないようにロックする。従って、乗り越える方向の突き当たり面は、乗り越えやすくするために傾斜面で構成され、反対側の面は、逆戻りを阻止するためにスライド方向と垂直な衝合面で構成されている。
【０００７】
そして、コネクタ１１０を受側部材３０に結合する場合は、コネクタ１１０のスライド係合部１２０と受側部材３０のスライド係合部４０を係合させる。即ち、コネクタ１１０側のスライドレール１２１Ａ、１２１Ｂの端部（スライドストッパ２３ｃのない側）を、受側部材３０のスライドレール４１Ａ、４１Ｂの端部に差し込むことにより、スライドレール１２１Ａ、１２１Ｂ、４１Ａ、４１Ｂの横壁２３ｂ、４３ｂ同士を係合させ、それによりコネクタ１１０と受側部材３０の離反を阻止した状態で、コネクタ１１０を受側部材３０に対して、スライドレール１２１Ａ、１２１Ｂ、４１Ａ、４１Ｂの案内に従ってスライドさせる。そうすることにより、ロック部１２２、４２同士を係合して、コネクタ１１０が受側部材３０に結合される。
【特許文献１】実開平４−１３５１８０号公報
【発明の開示】
【発明が解決しようとする課題】
【０００８】
ところで、この種のスライドロック構造は、一旦ロックすると外れにくいという長所を持つものの、リサイクルなどのためにコネクタを外したいときには、治具や工具を用いないと簡単に外れないという問題があった。
【０００９】
本発明は、上記事情を考慮し、リサイクル等のために部材の結合を外したいときに、簡単にロックが外れるようにしたスライドロック構造を提供することを目的とする。
【課題を解決するための手段】
【００１０】
請求項１の発明は、互いに結合すべき２つ部材の対向外壁面に互いに係合する各一対のスライドレールが設けられ、前記両部材のうちの一方の部材の一対のスライドレールは、前記外壁面に垂直な縦壁の上端に外向きに前記外壁面に平行な横壁を設けた断面Ｌ字形をなし、他方の部材の一対のスライドレールは、前記外壁面に垂直な縦壁の上端に内向きに前記外壁面に平行な横壁を設けた断面Ｌ字形をなし、前記両部材のスライドレールの横壁同士の係合より両部材の離反を阻止した状態で、該両部材を前記スライドレールの案内に従って相対的にスライドさせることにより、該両部材の外壁面に形成されたロック部同士を係合させるスライドロック構造において、前記両部材のうちの一方の部材の対をなすスライドレールの長さ方向の互いに反対側の一部に、前記横壁を切欠いて断面Ｌ字形から断面Ｉ字形にすることにより横剛性を低下させた脆弱部を設け、前記両部材に前記外壁面に垂直な軸回りの相対的な一定以上の捩りを加えた際に、前記脆弱部が横力を受けて撓むことにより、ロック部同士の係合が外れるか、残る横壁同士の係合が外れるようにしたことを特徴とする。
【００１１】
請求項２の発明は、互いに結合すべき２つ部材の対向外壁面に互いに係合する各一対のスライドレールが設けられ、前記両部材のうちの一方の部材の一対のスライドレールは、前記外面壁に垂直な縦壁の上端に外向きに前記外面壁に平行な横壁を設けた断面Ｌ字形をなし、他方の部材の一対のスライドレールは、前記外面壁に垂直な縦壁の上端に内向きに前記外面壁に平行な横壁を設けた断面Ｌ字形をなし、前記両部材のスライドレールの横壁同士の係合より該両部材の離反を阻止した状態で、該両部材を前記スライドレールの案内に従って相対的にスライドさせることにより、両部材の外壁面に形成されたロック部同士を係合させるスライドロック構造において、前記両部材のうちの一方の部材の対をなすスライドレールの長さ方向の互いに反対側の一部に、前記横壁及び前記縦壁の下側を切欠いて横剛性を低下させた脆弱部を設け、前記両部材に前記外壁面に垂直な軸回りの相対的な一定以上の捩りを加えた際に、前記脆弱部が横力を受けて撓むことにより、ロック部同士の係合が外れるか、残る横壁同士の係合が外れるようにしたことを特徴とする。
【００１２】
請求項３の発明は、請求項１又は２に記載のスライドロック構造であって、前記脆弱部を設けたスライドレールは、外側に横壁を向けた相手側のスライドレールに対し、外側から係合する内側に横壁を向けたスライドレールであることを特徴とする。
【発明の効果】
【００１３】
請求項１，２の発明によれば、スライドレールの一部に脆弱部を設けたことにより、部材を捩るだけで、工具無しで簡単にロックを外すことができる。
【００１４】
請求項３の発明によれば、脆弱部を設けるスライドレールを、外側から係合するスライドレールとしたので、内側のスライドレールの撓みスペースを考慮しながらスライドレール間隔を決める必要はなく、スライドレールの間隔を小さく設定することができる。
【発明を実施するための最良の形態】
【００１５】
以下、本発明の実施形態を図面を参照しながら説明する。
【００１６】
図１は実施形態のスライドロック構造を備えたコネクタの下面側の斜視図、図２は同コネクタの下面のスライドレールが変形した状態を示す斜視図、図３は受側部材に取り付けたコネクタのロックを外す場合の操作手順の説明用の斜視図、図４は図３の次の段階の操作手順の説明用の斜視図である。また、図５は受側部材にコネクタを結合した状態の平面図、図６は同状態の正面図、図７は図６のＶＩＩ−ＶＩＩ矢視断面図、図８はコネクタのロックを外すためにコネクタを捩った状態を示す平面図、図９は同状態の正面図、図１０は図９のＶＩＩ−ＶＩＩ矢視断面図である。
【００１７】
本実施形態における受側部材３０は、図１３に示したものと同じである。図１に示すコネクタ（部材）１０の下壁面１０ａと図１３に示す受側部材３０の上面３０ａ（対向外壁面）には、互いに係合するスライド係合部２０、４０が設けられている。コネクタ１０と受側部材３０のスライド係合部２０、４０は、それぞれ一対のスライドレール２１Ａ、２１Ｂ、４１Ａ、４１Ｂと、左右のスライドレール２１Ａ、２１Ｂ、４１Ａ、４１Ｂの間に設けられたロック部２２、４２とから構成されている。
【００１８】
コネクタ１０のスライドレール２１Ａ、２１Ｂと受側部材３０のスライドレール４１Ａ、４１Ｂは互いに係合できるようになっており、受側部材３０の一対のスライドレール４１Ａ、４１Ｂは、受側部材３０の上面３０ａに垂直な縦壁４３ａの上端に外向きに前記上面３０ａと平行な横壁４３ｂを設けた断面Ｌ字形をなし、コネクタ１０の一対のスライドレール２１Ａ、２１Ｂは、コネクタの下壁面１０ａに垂直な縦壁２３ａの上端に内向きに前記下壁面１０ａに平行な横壁２３ｂを設けた断面Ｌ字形をなしている。なお、コネクタ１０の両スライドレール２１Ａ、２１Ｂの長さ方向の一端部には、コネクタ１０を受側部材３０に結合する方向のスライド限を規定するスライドストッパ２３ｃが設けられている。
【００１９】
また、ロック部２２、４２は、例えば、ロック部２２、４２自体やロック部２２、４２を設けている壁板が弾性変形することにより、互いに乗り越えた状態で逆戻りしないようにロックする。従って、乗り越える方向の突き当たり面は、乗り越えやすくするために傾斜面で構成され、反対側の面は、逆戻りを阻止するためにスライド方向と垂直な衝合面で構成されている。
【００２０】
ここまでは、前述した従来例とほぼ同じであるが、本実施形態では、最大の特徴点として、コネクタ１０側のスライドレール２１Ａ、２１Ｂに以下の工夫を凝らしている。
【００２１】
即ち、図１に示すように、コネクタ１０側のスライドレール２１Ａ、２１Ｂの長さ方向の互いに反対側の約半分以上の領域に、横壁２３ｂを切欠いて断面Ｌ字形から断面Ｉ字形にすることにより横剛性を低下させた脆弱部Ｓを設けている。図中の左側のスライドレール２１Ａでは、相手側スライドレール４１Ａに対する差し込み方向の前半部に脆弱部Ｓを設け、図中の右側のスライドレール２１Ｂでは、相手側スライドレール４１Ｂに対する差し込み方向の後半部に脆弱部Ｓを設けている。脆弱部Ｓの長さは、スライドレール２１Ａ、２１Ｂの全長の半分より長い。
【００２２】
図中Ｈで示す領域は、断面Ｌ字形の部分（横壁２３ｂが残された部分）であり、断面係数が大きいので横剛性が高い。反対に、切欠２３ｄを設けた断面Ｉ形の脆弱部Ｓは、断面係数が小さいので横剛性が低くなっている。
【００２３】
脆弱部Ｓは、一定以上の横剛性が加わったときに、コネクタ１０の下壁面１０ａから破断して、図２に示すように外側に撓むことができるようになっている。
【００２４】
なお、図中右側のスライドレール２１Ｂにおける脆弱部Ｓは、スライドストッパ２３ｃと隣接することになるため、間にスリット２３ｅを設けて両者を切り離している。こうすることで、図中右側の脆弱部Ｓは、左側の脆弱部Ｓと同じ程度の剛性を持つものとなる。
【００２５】
次に作用を説明する。
【００２６】
まず、コネクタ１０を受側部材３０に結合する場合は、従来と同様に、コネクタ１０のスライド係合部２０を受側部材３０のスライド係合部４０に係合させる。即ち、コネクタ１０側のスライドレール２１Ａ、２１Ｂの前端部（スライドストッパ２３ｃのない側）を、受側部材３０のスライドレール４１Ａ、４１Ｂの前端部に差し込むことにより、スライドレール２１Ａ、２１Ｂ、４１Ａ、４１Ｂの横壁２３ｂ、４３ｂ同士を係合させ、それによりコネクタ１０と受側部材３０の離反を阻止した状態で、コネクタ１０を受側部材３０に対して、スライドレール２１Ａ、２１Ｂ、４１Ａ、４１Ｂの案内に従いながらスライドさせる。
【００２７】
そうすることにより、ロック部２２、４２同士が自動的に係合して、コネクタ１０が受側部材３０に結合される。係合状態では、図５〜図７に示すようになり、特に図７に示すように、コネクタ１０側のスライドレール２１Ａ、２１Ｂが、受側部材３０のスライドレール４１Ａ、４１Ｂに外側から係合する。
【００２８】
次に、リサイクル等の要請に応じて結合を外す場合は、図３、図８、図９に示すように、コネクタ１０を、スライドレール２１Ａ、２１Ｂを設けた下壁面１０ａに垂直な軸回りに捩る。捩る方向は、前述した脆弱部Ｓを外側に撓ませる方向である。
【００２９】
このようにコネクタ１０に捩りを加えると、図２、図１０に示すように、スライドレール２１Ａ、２１Ｂの脆弱部Ｓが横力を受けて下壁面１０ａから破断し撓むことにより、ロック部２２、４２同士の係合が外れるか、残る横壁２３ｂ、４３ｂ同士の係合が外れるかする。
【００３０】
従って、ロック部２２、４２同士の係合が外れる場合は、そのまま、再度ロック部２２、４２同士のロックが行われないように捩った状態で、スライドレール２１Ａ、２１Ｂを相手側のスライドレール４１Ａ、４１Ｂから抜けば、コネクタ１０を簡単に取り外すことができる。また、残る横壁２３ｂ、４３ｂ同士の係合が外れる場合は、図４に示すように、コネクタ１０をそのまま上に持ち上げれば、コネクタ１０を簡単に取り外すことができる。そのため、工具無しで取り外し作業を行うことができる。
【００３１】
また、本実施形態では、脆弱部Ｓを設けるスライドレールを、外側から係合するスライドレール２１Ａ、２１Ｂとしたので、内側のスライドレール４１Ａ、４１Ｂの撓みスペースを考慮しながらスライドレール間隔を決める必要がなく、スライドレール２１Ａ、２１Ｂ、４１Ａ、４１Ｂの間隔を小さく設定することができる。
【００３２】
なお、上記実施形態では、脆弱部Ｓ（符号２３ａの部分）は、一定以上の横剛性が加わったときに、コネクタ１０の下壁面１０ａから破断して外側に撓むようになっているが、図１１に示すように、脆弱部Ｓを成す縦壁２３ａの下側に予めスリット（切欠部）２３ｆを形成して、該脆弱部Ｓを外側に撓み易くしても良い。また、上記実施形態では、外側から係合するスライドレール２１Ａ、２１Ｂに脆弱部Ｓを設けたが、その代わりに、内側から係合するステップ４１Ａ、４１Ｂに同様の脆弱部Ｓを設けることもできる。
【図面の簡単な説明】
【００３３】
【図１】本発明の実施形態のスライドロック構造を備えたコネクタの下面側の斜視図である。
【図２】同コネクタの下面のスライドレールが変形した状態を示す斜視図である。
【図３】同実施形態において、受側部材に取り付けたコネクタのロックを外す場合の操作手順の説明用の斜視図である。
【図４】図３の次の段階の操作手順の説明用の斜視図である。
【図５】同実施形態における受側部材にコネクタを結合した状態の平面図である。
【図６】図５と同じ状態の正面図である。
【図７】図６のＶＩＩ−ＶＩＩ矢視断面図である。
【図８】同実施形態において、コネクタのロックを外すためにコネクタを捩った状態を示す平面図である。
【図９】図８と同じ状態の正面図である。
【図１０】図９のＶＩＩ−ＶＩＩ矢視断面図である。
【図１１】本発明の他の実施形態のスライドロック構造を備えたコネクタの下面側の斜視図である。
【図１２】従来の一般的なスライドロック構造の説明図であり、コネクタの下面側の斜視図である。
【図１３】同スライドロック構造における受側部材の上面側の斜視図である。
【図１４】前記受側部材にコネクタを結合した状態を示す斜視図である。
【符号の説明】
【００３４】
１０  コネクタ（部材）
１０ａ  下壁面（対向外壁面）
２０  スライド係合部
２１Ａ，２１Ｂ  スライドレール
２２  ロック
２３ａ  縦壁
２３ｆ  スリット（切欠部）
２３ｂ  横壁
３０  受側部材
３０ａ  上面（対向外壁面）
４０  スライド係合部
４１Ａ，４１Ｂ  スライドレール
４２  ロック部
４３ａ  縦壁
４３ｂ  横壁
Ｓ  脆弱部
【図１】
2007188820.tif 000003
【図２】
2007188820.tif 000004
【図３】
2007188820.tif 000005
【図４】
2007188820.tif 000006
【図５】
2007188820.tif 000007
【図６】
2007188820.tif 000008
【図７】
2007188820.tif 000009
【図８】
2007188820.tif 000010
【図９】
2007188820.tif 000011
【図１０】
2007188820.tif 000012
【図１１】
2007188820.tif 000013
【図１２】
2007188820.tif 000014
【図１３】
2007188820.tif 000015
【図１４】
2007188820.tif 000016